(57)【要約】【課題】隔壁の視覚的な不快さを低減した２層構造の反射型カラー液晶表示素子の実現。【解決手段】積層された第１液晶層および第２液晶層を備え、第１液晶層は、第１方向に伸びる交互に配置された第１および第２液晶帯群56,57と、第１および第２液晶帯群を挟持するように配置された第１電極群および第２電極群と、を備え、第２液晶層は、第１方向と直交する第２方向に伸びる交互に配置された第３および第４液晶帯群58,59と、第３および第４液晶帯群を挟持するように配置された第３電極群および第４電極群と、を備え、第１電極群は第１方向に伸びる平行な複数の第１電極64A,64Bを備え、第２電極群は第２方向に伸びる平行な複数の第２電極65を備え、第３電極群は第１方向に伸びる平行な複数の第３電極66を備え、第４電極群は第２方向に伸びる平行な複数の第４電極67A,67Bを備える反射型カラー液晶表示素子。【選択図】図１
2012088496.tif 000002
【特許請求の範囲】
【請求項１】
積層された第１液晶層および第２液晶層を備え、
前記第１液晶層は、第１方向に伸びる交互に配置された第１液晶帯群および第２液晶帯群と、前記第１液晶帯群および第２液晶帯群を挟持するように配置された第１電極群および第２電極群と、を備え、
前記第２液晶層は、前記第１方向と直交する第２方向に伸びる交互に配置された第３液晶帯群および第４液晶帯群と、前記第３液晶帯群および第４液晶帯群を挟持するように配置された第３電極群および第４電極群と、を備え、
前記第１電極群は、前記第１方向に伸びる平行に配置された複数の第１電極を備え、
前記第２電極群は、前記第２方向に伸びる平行に配置された複数の第２電極を備え、
前記第３電極群は、前記第１方向に伸びる平行に配置された複数の第３電極を備え、
前記第４電極群は、前記第２方向に伸びる平行に配置された複数の第４電極を備えることを特徴とする反射型カラー液晶表示素子。
【請求項２】
前記第１液晶帯群は、印加電圧に応じて第１の色を呈する光の反射率が変化し、
前記第２液晶帯群は、印加電圧に応じて、前記第１の色と異なる第２の色を呈する光の反射率が変化し、
前記第３液晶帯群は、印加電圧に応じて第３の色を呈する光の反射率が変化し、
前記第４液晶帯群は、印加電圧に応じて、前記第３の色と異なる第４の色を呈する光の反射率が変化する請求項１記載の反射型カラー液晶表示素子。
【請求項３】
前記第１の色と前記第２の色の一方と、前記第３の色と前記第４の色の一方は、同一の色である請求項２記載の反射型カラー液晶表示素子。
【請求項４】
前記第１液晶帯と前記第２液晶帯の幅は異なり、
前記第３液晶帯と前記第４液晶帯の幅は異なる請求項１から３のいずれか記載の反射型カラー液晶表示素子。
【請求項５】
前記第１液晶帯と前記第２液晶帯のうちの幅が広い方の液晶帯は、狭い方の２倍の幅であり、
前記第３液晶帯と前記第４液晶帯のうちの幅が広い方の液晶帯は、狭い方の２倍の幅である請求項４記載の反射型カラー液晶表示素子。
【請求項６】
前記複数の第１電極、前記複数の第２電極、前記複数の第３電極および前記複数の第４電極は、同じ幅を有し、
電極の幅は、前記第１から第４液晶帯のうちの幅が最小の液晶帯の幅に対応している請求項１から５のいずれか記載の反射型カラー液晶表示素子。
【請求項７】
前記第１電極群は、前記第１液晶帯群に対応して配置される第１帯電極群と、前記第２液晶帯群に対応して配置される第２帯電極群と、を備え、
前記第４電極群は、前記第３液晶帯群に対応して配置される第３帯電極群と、前記第４液晶帯群に対応して配置される第４帯電極群と、を備え、
前記第１帯電極群の各第１帯電極は、前記第１液晶帯に対応した幅を有し、
前記第２帯電極群の各第２帯電極は、前記第２液晶帯に対応した幅を有し、
前記第３帯電極群の各第３帯電極は、前記第３液晶帯に対応した幅を有し、
前記第４帯電極群の各第４帯電極は、前記第４液晶帯に対応した幅を有する請求項１から５のいずれか記載の反射型カラー液晶表示素子。
【請求項８】
前記第１液晶層の第１および第２液晶帯群および前記第２液晶層の第３および第４液晶帯群に含まれる液晶は、コレステリック液晶である請求項１から７のいずれか記載の反射型カラー液晶表示素子。
【請求項９】
請求項１から８のいずれか記載の反射型カラー液晶表示素子と、
前記複数の第１電極を駆動する第１ドライバと、
前記複数の第２電極を駆動する第２ドライバと、
前記複数の第３電極を駆動する第１ドライバと、
前記複数の第４電極を駆動する第２ドライバと、を備える反射型カラー液晶表示装置。
【請求項１０】
前記反射型カラー液晶表示素子の観察面から見た時に、隣接する前記第１液晶帯および前記第２液晶帯の組と隣接する前記第３液晶帯および前記第４液晶帯の組が交差する範囲が、１画素を形成する請求項９記載の反射型カラー液晶表示装置。
【発明の詳細な説明】
【技術分野】
【０００１】
本発明は、反射型カラー液晶表示素子および反射型カラー液晶表示装置に関する。
【背景技術】
【０００２】
近年、電源が無くても表示保持可能で、電気的に書換えが可能な電子ペーパーの技術分野が急速に発展している。電子ペーパーは、電源を切断してもメモリ表示可能な超低消費電力と目にやさしく、疲れない反射型の表示と紙のような可撓性のあるフレキシブルで薄型の表示体の実現を目指している。電子ペーパーの電子ブック、電子新聞、電子ポスター等への応用が進められている。表示方式としては、帯電粒子を空気中や液体中で移動させる電気泳動方式、ニ色に色分けした帯電粒子を回転させるツイストボール方式、有機ＥＬ方式、液晶層の干渉反射を利用した双安定性のある選択反射型のコレステリック液晶方式の開発が進められている。
【０００３】
このような各種方式の中で、コレステリック液晶方式は、「メモリ機能」、「低電力化」、「カラー化」などの面で優位である。特に、コレステリック液晶方式は、カラー表示においては、圧倒的に有利である。コレステリック液晶方式以外の方式は、画素ごとに３色に塗り分けたカラーフィルタを配置させなければならないため、明るさが最大でも３分割に相当した１／３になり、現実的とはいえない。これに対して、コレステリック液晶方式は、液晶の干渉で色を反射するため、積層するだけでカラー表示が可能であり、５０パーセントに近い又はそれ以上の明るさが得られるという利点がある。
【０００４】
コレステリック液晶は，カイラルネマティック液晶とも称されることがあり，ネマティック液晶にキラル性の添加剤（カイラル材とも称される）を比較的多く（数十％）添加することにより，ネマティック液晶の分子がらせん状のコレステリック相を形成する液晶である。コレステリック液晶は，その液晶分子の配向状態で表示の制御を行う。
【０００５】
図１の（Ａ）および（Ｂ）は、コレステリック液晶の状態を説明する図である。図１の（Ａ）および（Ｂ）に示すように、コレステリック液晶を利用した表示素子１０は、上側基板１１と、コレステリック液晶層１２と、下側基板１３と、有する。コレステリック液晶には、図１の（Ａ）に示すように入射光を反射するプレーナ状態と、図１の（Ｂ）に示すように入射光を反射するフォーカルコニック状態と、があり、これらの状態は、無電界下でも安定してその状態が保持される。他に、強い電界を印加した時に、すべての液晶分子が電界の向きに従うホメオトロピック状態があるが、ホメオトロピック状態は、電界の印加を停止すると、プレーナ状態またはフォーカルコニック状態になる。
【０００６】
プレーナ状態の時には、液晶分子のらせんピッチに応じた波長の光を反射する。反射が最大となる波長λは、液晶の平均屈折率ｎ、らせんピッチｐから次の式で表される。
【０００７】
λ＝ｎ・ｐ
一方、反射帯域Δλは、液晶の屈折率異方性Δｎに伴って大きくなる。
【０００８】
プレーナ状態の時には、入射光が反射するので「明」状態、すなわち白を表示することができる。一方、フォーカルコニック状態の時には、下側基板１３の下に光吸収層を設けることにより、液晶層を透過した光が吸収されるので「暗」状態、すなわち黒を表示することができる。さらに、プレーナ状態の液晶分子とフォーカルコニック状態の液晶分子が混在した状態があり、そのような場合には明と暗の中間調状態になり、プレーナ状態の液晶分子とフォーカルコニック状態の液晶分子の混在率により中間調レベルが決まる。
【０００９】
コレステリック液晶の状態を制御するには各種の方法があるが、制御がシンプルなコンベンショナル駆動方法によれば、強い電界を印加してホメオトロピック状態とした後、電界の印加を急激に停止してプレーナ状態とする。この状態が明状態である。明状態から暗状態とするには、プレーナ状態において比較的小さな電界を短時間与える。この時の電圧またはパルス幅により暗状態のレベル、すなわち中間調レベルが決定される。他に、ＤＤＳ(Dynamic Driving Scheme:DDS)などの駆動方法が知られている。
【００１０】
図２は、３層のコレステリック液晶層を積層した反射型カラー液晶表示素子の概略構成を示す図である。図２に示すように、表示素子１０は、見る側から順番に、青（ブルー）用パネル１０Ｂ、緑（グリーン）用パネル１０Ｇ、および赤（レッド）用パネル１０Ｒの３枚のパネルが積層されており、レッド用パネル１０Ｒの下側には光吸収層１７が設けられている。パネル１０Ｂ、１０Ｇおよび１０Ｒは、同じ構成を有するが、パネル１０Ｂは反射の中心波長が青色（約４８０ｎｍ）、パネル１０Ｇは反射の中心波長が緑色（約５５０ｎｍ）、パネル１０Ｒは反射の中心波長が緑色（約６３０ｎｍ）になるように、液晶材料およびカイラル材が選択され、カイラル材の含有率が決定されている。パネル１０Ｂ、１０Ｇおよび１０Ｒのスキャン電極およびデータ電極は、コモンドライバ２８およびセグメントドライバ２９により駆動される。パネル１０Ｂ、１０Ｇおよび１０Ｒは、反射の中心波長が異なる以外同じ構成を有する。
【００１１】
図３は、プレーナ状態の時のパネル１０Ｂ、１０Ｇおよび１０Ｒの反射特性の例を示す図であり、Ｂがパネル１０Ｂの反射特性を、Ｇがパネル１０Ｇの反射特性を、Ｒがパネル１０Ｒの反射特性を示す。
【００１２】
パネル１０Ｂのみがプレーナ状態で、パネル１０Ｇおよび１０Ｒがフォーカルコニック状態の時には、青色（Ｂ）を表示する。パネル１０Ｇのみがプレーナ状態で、パネル１０Ｂおよび１０Ｒがフォーカルコニック状態の時には、緑色（Ｇ）を表示する。パネル１０Ｒのみがプレーナ状態で、パネル１０Ｂおよび１０Ｇがフォーカルコニック状態の時には、赤色（Ｒ）を表示する。パネル１０Ｂ、１０Ｇおよび１０Ｒがすべてプレーナ状態の時には白色（Ｗ）を表示し、パネル１０Ｂ、１０Ｇおよび１０Ｒがすべてフォーカルコニック状態の時には黒色を表示する。以下の説明では、黒色を“Ｆ”で表す。
【００１３】
上記のように、パネル１０Ｂ、１０Ｇおよび１０Ｒは、反射の中心波長が異なる以外同じ構成を有する。図４は、パネル１０Ｂ、１０Ｇおよび１０Ｒの基本構成を示す図であり、（Ａ）が上面図、（Ｂ）が断面図である。
【００１４】
図４に示すように、表示素子１０Ａは、上側基板１１と、上側基板１１の表面に平行に設けられた複数の上側電極１４と、下側基板１３の表面に平行に設けられた複数の下側電極層１５と、シール材１６と、を有する。上側基板１１と下側基板１３は、電極が対向するように配置され、間にコレステリック液晶を封入して液晶層１２を形成し、シール材１６で封止する。なお、液晶層１２内にスペーサが配置されるが図示は省略している。上側電極１４と下側電極１５は、観察面から見た時に直交するように配置され、交差部分が１画素に対応する。上側電極１４と下側電極１５には、電圧パルス信号が印加され、それにより液晶層１２に電圧が印加される。液晶層１２に電圧を印加して、液晶層１２の液晶分子をプレーナ状態またはフォーカルコニック状態にして表示を行う。上側基板１１と下側基板１３は、いずれも透光性を有しているが、パネル１０Ｒの下側基板１３は不透光性でもよい。
【００１５】
パネル１０Ｂ、１０Ｇおよび１０Ｒの上側電極１４と下側電極１５は、観察面から見た時に重なるように配置されるので、３層の画素は重なり、カラーＲＧＢカラー表示が行え、画素ごとに中間調表示を行えば、フルカラーＲＧＢカラー表示が行える。
【００１６】
コレステリック液晶表示素子およびその駆動方法については広く知られているので、これ以上の説明は省略する。
【００１７】
上記のように、コレステリック液晶表示装置は、カラー表示を実現するため、図２に示すように、３層積層構造を使用していたが、コスト低減のため層数削減が望まれていた。２層以下の層数でカラー表示を行うには、異なる色を反射する複数の液晶部を１層に設ける。各層の複数の液晶部は、隔壁で分離される。構造的には、隔壁で分離したＲＧＢ用の３つの液晶部を１層に設けた構造が最小構造であるが、１層構造だと明るさが不足するため、２層構造が提案されている。
【００１８】
図５は、提案されている単純マトリクス型の２層構造の例を示す図であり、（Ａ）は１層目の構造を、（Ｂ）は２層目の構造を、（Ｃ）は積層構造の断面を示す。
【００１９】
まず、１層目の構造について説明する。図５の（Ａ）に示すように、透明基板３１と３２の対向する表面上に、平行に伸びる複数の透明電極４４および４５がそれぞれ形成されている。透明電極４４は第１の方向に伸び、透明電極４５は第２の方向に伸びる。透明電極４４および４５は、観察面から見た時に直交するように配置される。透明電極４４および４５が形成された透明基板３１および３２の間に、第２方向に伸びる交互に配置された複数の第１液晶帯３６と複数の第２液晶帯３７を形成するように隔壁３４を設ける。第１液晶帯３６の幅は、第２液晶帯３７の幅の約２倍である。第１液晶帯３６は２本の透明電極４４と重なるように配置され、第２液晶帯３７は１本の透明電極４４と重なるように配置される。複数の第１液晶帯３６は相互につながっており、液晶注入口４０から内部に液晶が注入できる。また、複数の第２液晶帯３７は相互につながっており、液晶注入口４１から内部に液晶が注入できる。反射光の色が異なる２種類のコレステリック液晶を、複数の第１液晶帯３６および複数の第２液晶帯３７にそれぞれ注入すれば、２つの色を表示できる１層構造が得られる。この１層構造では、透明電極４４と透明電極４５の交差部分の液晶の状態を制御でき、後述するように、この部分が１副画素に対応する。
【００２０】
図５の（Ｂ）に示すように、２層目の構造も１層目の構造と同様の構成である。隔壁３５で分けられた複数の第３液晶帯３８および複数の第４液晶帯３９に、それぞれ注入反射光の色が異なる２種類のコレステリック液晶を、注入口４２および４３から注入することにより、２つの色を表示できる１層構造が得られる。この１層構造でも、透明電極４６と透明電極４７の交差部分が、１副画素に対応する。
【００２１】
図５の例では、１層目の構造の下側の透明基板３２と、２層目の構造の上側の透明基板と共通化されている。２層目の構造の下側の透明基板３３の下側には光吸収層４８が設けられる。
【００２２】
図６は、図５の積層構造で、第１液晶帯３６、第２液晶帯３７、第３液晶帯３８および第４液晶帯３９の４つの液晶帯が重なる様子を示す。幅の狭い第２液晶帯３７と第３液晶帯３８の位置がずれており、第１液晶帯３６と第３液晶帯３８の重なる部分と、第１液晶帯３６と第４液晶帯３９の重なる部分と、第２液晶帯３７と第４液晶帯３９の重なる部分と、の３種類の液晶帯ができる。図５の例では、隣接する３種類の液晶帯に含まれる３副画素が１画素を形成する。すなわち、隣接する３本の第２電極４５およびそれに重なる３本の第４電極４７と、１本の第１電極４４およびそれに重なる１本の第３電極４６が交差する３個の副画素が１画素を形成する。言い換えれば、第１層の３個の副画素と第２層の３個の副画素の合計６個の副画素で１画素を形成する。
【００２３】
例えば、第１液晶帯３６に青色（Ｂ）を反射する液晶を、第２液晶帯３７および第３液晶帯３８に緑色（Ｇ）を反射する液晶を、第４液晶帯３９に赤色（Ｒ）を反射する液晶を、それぞれ注入する。１層目および２層目の６個の副画素の状態をオン・オフ制御することにより、赤色（Ｒ）、緑色（Ｇ）、青色（Ｂ）、シアン色（Ｃ）、マゼンタ色（Ｍ）、黄色（Ｙ）、白色（Ｗ）および黒色（Ｂ）の表示が行える。
【００２４】
図５および図６に示す例では、積層する２つの液晶帯の伸びる方向、すなわち、隔壁の伸びる方向が同じであるため、隔壁部分がストライプノイズとなり、視覚的な不快さを招くという問題があった。
【００２５】
なお、上側電極と下側電極を同じ方向に重なるように配置して液晶の状態を帯状に制御できるセグメント型の２つの層を使用し、上層の帯と下層の帯が直交するように積層し、あたかも単純マトリクス型のような動作を実現する２層の液晶表示素子が提案されている。しかし、この表示素子は、１層では帯状の部分の制御が行えるのみで、図５の単純マトリクス駆動方法とは異なり、カラー表示が難しい。
【先行技術文献】
【特許文献】
【００２６】
【特許文献１】特開平６−０５９２７１号公報
【特許文献２】特開平９−０６８７０２号公報
【特許文献３】特開２００１−２４２３１５号公報
【発明の概要】
【発明が解決しようとする課題】
【００２７】
実施形態によれば、２層構造の反射型カラー液晶表示素子における視覚的な不快さが低減される。
【課題を解決するための手段】
【００２８】
発明の観点によれば、積層された第１液晶層および第２液晶層を備え、第１液晶層は、第１方向に伸びる交互に配置された第１液晶帯群および第２液晶帯群と、第１液晶帯群および第２液晶帯群を挟持するように配置された第１電極群および第２電極群と、を備え、
積層された第１液晶層および第２液晶層を備え、第２液晶層は、第１方向と直交する第２方向に伸びる交互に配置された第３液晶帯群および第４液晶帯群と、第３液晶帯群および第４液晶帯群を挟持するように配置された第３電極群および第４電極群と、を備え、第１電極群は、第１方向に伸びる平行に配置された複数の第１電極を備え、第２電極群は、第２方向に伸びる平行に配置された複数の第２電極を備え、第３電極群は、第１方向に伸びる平行に配置された複数の第３電極を備え、第４電極群は、第２方向に伸びる平行に配置された複数の第４電極を備えることを特徴とする反射型カラー液晶表示素子が提供される。
【発明の効果】
【００２９】
上記の観点によれば、上下２層の隔壁が伸びる方向が直交するため、隔壁の壁面構造に起因するストライプ状に見える現象が拡散し、視覚的な不快さが低減される。
【図面の簡単な説明】
【００３０】
【図１】図１は、コレステリック液晶の状態を説明する図である。
【図２】図２は、３層のコレステリック液晶層を積層した反射型カラー液晶表示素子の概略構成を示す図である。
【図３】図３は、プレーナ状態の時のＲＧＢパネルの反射特性の例を示す図である。
【図４】図４は、ＲＧＢパネルの上面図および断面図を示す図である。
【図５】図５は、提案されている単純マトリクス型の２層構造の反射型カラー液晶表示素子を示す図である。
【図６】図６は、積層構造で、液晶帯が重なる様子を示す図である。
【図７】図７は、第１実施形態の反射型カラー液晶表示素子を形成するパネルの上面図である。
【図８】図８は、１層目のパネルと２層目のパネルを積層した第１実施形態の反射型カラー液晶表示素子の断面図である。
【図９】図９は、第１実施形態において、１画素を形成する副画素を示す図である。
【図１０】図１０は、第１実施形態において、各液晶帯に充填する液晶の色の組合せ例を示す図である。
【図１１】図１１は、第１実施形態において、４個の副画素を、プレーナ状態とフォーカルコニック状態にした場合の１画素での表示色を説明する図である。
【図１２】図１２は、第２実施形態の反射型カラー液晶表示素子を形成するパネルの上面図である。
【図１３】図１３は、第２実施形態において、１画素を形成する副画素の色と１画素での表示色を示す図である。
【図１４】図１４は、第３実施形態の反射型カラー液晶表示素子を形成するパネルの上面図である。
【図１５】図１５は、第３実施形態において、１画素を形成する副画素の色と１画素での表示色を示す図である。
【図１６】図１６は、第３実施形態での表示色の例を示す図である。
【図１７】図１７は、第４実施形態の反射型カラー液晶表示素子を形成するパネルの上面図および積層したパネルの断面図である。
【図１８】図１８は、第３実施形態において、１画素を形成する副画素の構成と１画素での表示色を示す図である。
【図１９】図１９は、第１から第４実施形態のいずれかの反射型カラー液晶表示素子を使用した反射型カラー液晶表示装置の概略構成を示すブロック図である。
【発明を実施するための形態】
【００３１】
以下、本発明の実施形態について、図面を参照して具体的に説明する。
【００３２】
図７は、第１実施形態の反射型カラー液晶表示素子を形成するパネルの上面図であり、（Ａ）が１層目のパネルを、（Ｂ）が２層目のパネルを示す。図８は、１層目のパネルと２層目のパネルを積層した第１実施形態の反射型カラー液晶表示素子の断面図である。図９は、第１実施形態において、１画素を形成する副画素を示す図である。
【００３３】
図７の（Ａ）、図８および図９に示すように、１層目のパネルは、平行に伸びる複数の第２透明電極６５が形成された透明基板５０と、複数組の平行に伸びる第１透明電極６４Ａと６４Ｂが形成された透明基板５１と、を有する。透明基板５０と５１は、電極が形成された面が対向するように配置される。第１透明電極６４Ａと６４Ｂは、第１の方向（ここでは横方向）に伸び、交互に配置されている。第２透明電極６５は、第２の方向（ここでは縦方向）に伸びる。第１透明電極６４Ａの幅は、第１透明電極６４Ｂの幅の約２倍である。第２透明電極６５の幅は、第１透明電極６５Ｂの幅の約３倍である。したがって、複数組の第１透明電極６４Ａおよび６４Ｂと複数の第２透明電極６５とは、観察面から見た時に直交するように配置される。
【００３４】
透明基板５０と５１の間には、第１方向に伸びる交互に配置された複数の第１液晶帯５６と複数の第２液晶帯５７を形成するように隔壁５４を設ける。第１液晶帯５６の幅は、第２液晶帯５７の幅の約２倍である。第１液晶帯５６は第１透明電極６４Ａと重なるように配置され、第２液晶帯５７は第１透明電極６４Ｂと重なるように配置される。複数の第１液晶帯５６は相互につながっており、液晶注入口６０から内部に液晶が注入できる。また、複数の第２液晶帯５７は相互につながっており、液晶注入口６１から内部に液晶が注入できる。反射光の色が異なる２種類のコレステリック液晶を、複数の第１液晶帯５６および複数の第２液晶帯５７にそれぞれ注入すれば、２つの色を表示できる１層目のパネルが得られる。この１層目のパネルでは、第１透明電極６４Ａと第２透明電極６５の交差部分に副画素６９Ａが、第１透明電極６４Ｂと第２透明電極６５の交差部分に副画素６９Ｂが形成される。副画素６９Ａおよび６９Ｂは、液晶の状態を制御でき、後述するように、この部分が１画素を形成する。
【００３５】
図７の（Ｂ）、図８および図９に示すように、２層目のパネルは、複数組の平行に伸びる第４透明電極６７Ａと６７Ｂが形成された透明基板５２と、平行に伸びる複数の第３透明電極６６が形成された透明基板５３と、を有する。透明基板５２と５３は、電極が形成された面が対向するように配置される。第３透明電極６６は、第１の方向に伸びる。第４透明電極６７Ａと６７Ｂは、第２の方向に伸び、交互に配置されている。第４透明電極６７Ａの幅は、第４透明電極６７Ｂの幅の約２倍である。第３透明電極６６の幅は、第４透明電極６７Ｂの幅の約３倍である。したがって、複数の第３透明電極６６と複数組の第４透明電極６７Ａおよび６７Ｂは、観察面から見た時に直交するように配置される。
【００３６】
透明基板５２と５３の間には、第２方向に伸びる交互に配置された複数の第３液晶帯５８と複数の第４液晶帯５９を形成するように隔壁５５を設ける。第３液晶帯５８の幅は、第４液晶帯５９の幅の約２倍である。第３液晶帯５８は第４透明電極６７Ａと重なるように配置され、第４液晶帯５９は第４透明電極６７Ｂと重なるように配置される。複数の第３液晶帯５８は相互につながっており、液晶注入口６２から内部に液晶が注入できる。また、複数の第４液晶帯５９は相互につながっており、液晶注入口６３から内部に液晶が注入できる。反射光の色が異なる２種類のコレステリック液晶を、複数の第３液晶帯５８および複数の第４液晶帯５９にそれぞれ注入すれば、２つの色を表示できる２層目のパネルが得られる。この２層目のパネルでは、第３透明電極６６と第４透明電極６７Ａの交差部分に副画素７０Ａが、第３透明電極６６と第４透明電極６７Ｂの交差部分に副画素７０Ｂが形成される。副画素７０Ａおよび７０Ｂは、液晶の状態を制御でき、後述するように、この部分が１画素を形成する。
【００３７】
第１実施形態では、第１透明電極６４Ａと６４Ｂの組と第３透明電極６６の配列ピッチが同じであり、第２透明電極６５と第４透明電極６７Ａと６７Ｂの組の配列ピッチが同じである。第１電極６４Ａおよび６４Ｂの組が第３電極６６と第２電極６５が第３電極６７Ａおよび６７Ｂの組と、重なるように、１層目のパネルと２層目のパネルを配置して貼り合わせる。なお、図５の例のように、１層目のパネルの下側の透明基板５１と、２層目のパネルの上側の透明基板５２を共通化して２層の積層構造にすることも可能である。２層目のパネルの下側の透明基板５３の下側には光吸収層６８が設けられる。
【００３８】
なお、第１実施形態の反射型カラー液晶表示素子では、隔壁５４および５５がシール材の機能を有するが、液晶層の周辺部に別途シール材を設けてもよい。
【００３９】
第１実施形態の反射型カラー液晶表示素子で、第１液晶帯５６、第２液晶帯５７、第３液晶帯５８および第４液晶帯５９の４つの液晶帯は、図９に示すように重なり、副画素６９Ａおよび６９Ｂと副画素７０Ａおよび７０Ｂが重なる部分が１画素に相当する。すなわち、隣接する２本の第１電極６４Ａおよび６４Ｂおよびそれに重なる１本の第３電極６６と、１本の第２電極６５とそれに重なる隣接する２本の第４電極６７Ａおよび６７Ｂと、が交差する４個の副画素が１画素を形成する。
【００４０】
各液晶帯、すなわち各副画素にどのような液晶を充填するかについては各種の組合せがあり得る。図１０は、その一部の例を示す図であり、左側が下側のパネルの副画素７０Ａおよび７０Ｂを、中央が上側のパネルの副画素６９Ａおよび６９Ｂを、右側が上側と下側のパネルを重ねた画素の状態を示す。図１０において、副画素７０Ａおよび７０Ｂと副画素６９Ａおよび６９Ｂは、プレーナ状態にした時に反射する色を示す。したがって、２値表示の場合には、副画素７０Ａおよび７０Ｂと副画素６９Ａおよび６９Ｂは、プレーナ状態にした時の反射色とフォーカルコニック状態にした時の黒色を呈する。また、右側の重ねた場合の副画素は、副画素７０Ａおよび７０Ｂと副画素６９Ａおよび６９Ｂをプレーナ状態にした時の反射色を示す。
【００４１】
図１０の（Ａ）は、第１液晶帯５６に緑色（Ｇ）の反射色のコレステリック液晶を、第２液晶帯５７および第４液晶帯５９に青色（Ｂ）の反射色のコレステリック液晶を、第３液晶帯５８に赤色（Ｒ）の反射色のコレステリック液晶を充填した場合を示す。これらのＲＧＢのコレステリック液晶を充填した時の各液晶帯は、例えば図３に示した分光反射率を呈する。図１０の（Ａ）の場合、上側のパネルでは、Ｂ液晶が１／３、Ｇ液晶が２／３の体積比になり、下側のパネルでは、Ｂ液晶が１／３、Ｒ液晶が２／３の体積比になる。そして、画素６９Ａ、６９Ｂ、７０Ａおよび７０Ｂをすべてプレーナ状態にすると、重ねた場合の副画素は、図示のようになる。すなわち、副画素７０Ａと６９Ａが重なった部分は黄色（Ｙ）に、副画素７０Ａと６９Ｂが重なった部分はマゼンタ色（Ｍ）に、副画素７０Ｂと６９Ａが重なった部分はシアン色（Ｃ）に、副画素７０Ｂと６９Ｂが重なった部分は青色（Ｂ）に、なる。
【００４２】
図１０の（Ｂ）は、第１液晶帯５６に青色（Ｂ）の反射色のコレステリック液晶を、第２液晶帯５７および第４液晶帯５９に赤色（Ｒ）の反射色のコレステリック液晶を、第３液晶帯５８に緑色（Ｇ）の反射色のコレステリック液晶を充填した場合を示す。図１０の（Ｂ）の場合、上側のパネルでは、Ｒ液晶が１／３、Ｂ液晶が２／３の体積比になり、下側のパネルでは、Ｒ液晶が１／３、Ｇ液晶が２／３の体積比になる。そして、画素６９Ａ、６９Ｂ、７０Ａおよび７０Ｂをすべてプレーナ状態にすると、重ねた場合の副画素は、図示のようになる。すなわち、副画素７０Ａと６９Ａが重なった部分はシアン色（Ｃ）に、副画素７０Ａと６９Ｂが重なった部分は黄色（Ｙ）に、副画素７０Ｂと６９Ａが重なった部分はマゼンタ色（Ｍ）に、副画素７０Ｂと６９Ｂが重なった部分は赤色（Ｒ）に、なる。
【００４３】
図１０の（Ｃ）は、第１液晶帯５６に赤色（Ｒ）の反射色のコレステリック液晶を、第２液晶帯５７および第４液晶帯５９に緑色（Ｇ）の反射色のコレステリック液晶を、第３液晶帯５８に青色（Ｂ）の反射色のコレステリック液晶を充填した場合を示す。図１０の（Ｃ）の場合、上側のパネルでは、Ｇ液晶が１／３、Ｒ液晶が２／３の体積比になり、下側のパネルでは、Ｇ液晶が１／３、Ｂ液晶が２／３の体積比になる。そして、画素６９Ａ、６９Ｂ、７０Ａおよび７０Ｂをすべてプレーナ状態にすると、重ねた場合の副画素は、図示のようになる。すなわち、副画素７０Ａと６９Ａが重なった部分はマゼンタ色（Ｍ）に、副画素７０Ａと６９Ｂが重なった部分はシアン色（Ｃ）に、副画素７０Ｂと６９Ａが重なった部分は黄色（Ｙ）に、副画素７０Ｂと６９Ｂが重なった部分は緑色（Ｇ）に、なる。
【００４４】
他にも各種の組合せが可能であり、例えば、上下のパネルの色の組合せを入れ替えることが可能である。
【００４５】
視覚特性の面からは、色味が弱い黄色（Ｙ）を最も低い空間周波数、すなわち面積の大きな副画素とし、色味が強いシアン色（Ｃ）、マゼンタ色（Ｍ）、青色（Ｂ）を高い空間周波数、すなわち面積の小さい副画素とした図１０の（Ａ）の配色が、テキスト画像の白地や人物画の肌色などで、最も精細に見える。
【００４６】
図１０の（Ｃ）では、マゼンタ色（Ｍ）を低周波に配しているが、マゼンタ色（Ｍ）は色味が強いため、先述のテキストの白地や人物画の肌色などでは、最も粗く見える。
【００４７】
これらの傾向をまとめると、青色（Ｂ）のような視感度が低い色をパターン幅が狭い（面積率が１／３の方）に割り当てるほうが、視覚的に好ましいと言える。
【００４８】
なお、視覚の空間周波数応答は、水平・垂直方向の特性がほぼ等しいため、拡散された隔壁のストライプの方向性については、特に限定されない。
【００４９】
以上、副画素７０Ａおよび７０Ｂと副画素６９Ａおよび６９Ｂをプレーナ状態にした時の反射色について説明したが、前述のように、２値表示の場合、各副画素はプレーナ状態とフォーカルコニック状態を取り得る。したがって、他にも多くの色を表示可能である。
【００５０】
図１１は、副画素７０Ａおよび７０Ｂと副画素６９Ａおよび６９Ｂを、プレーナ状態とフォーカルコニック状態にした場合の１画素での表示色を説明する図であり、（Ａ）から（Ｐ）は１６通りの組合せを示す。図１１で、Ｆは各副画素をフォーカルコニック状態、すなわち黒表示状態にした場合を示し、他は各副画素をプレーナ状態にした場合および重ねられた場合の反射色を示す。
【００５１】
組合せが多いので詳しい説明は省略するが、例えば、（Ａ）はすべての副画素をフォーカルコニック状態にした場合で、１画素は黒表示である。（Ｂ）および（Ｅ）では１画素は青色（Ｂ）を、（Ｃ）では１画素は緑色（Ｇ）を、（Ｉ）では１画素は赤色（Ｒ）を、表示する。
【００５２】
図１２は、第２実施形態の反射型カラー液晶表示素子を形成するパネルの上面図であり、（Ａ）が１層目のパネルを、（Ｂ）が２層目のパネルを示す。
【００５３】
第１実施形態では、第２電極６５および第３電極６６の幅は、第１電極６４Ｂおよび第４電極６７Ｂの幅の約３倍であった。言い換えれば、第２電極６５および第３電極６６の幅は、第１電極６４Ａおよび第４電極６７Ａの幅の約１．５倍であった。これに対して、第２実施形態では、第２電極を、第４電極６７Ａおよび６７Ｂに対応した第２電極６５Ａおよび６５Ｂとし、第３電極を、第１電極６４Ａおよび６４Ｂに対応した第３電極６６Ａおよび６６Ｂとしたことが、第１実施例と異なり、他は同じである。
【００５４】
図１３は、第２実施形態において、１画素を形成する副画素の構成を示す図である。ここでは、図１０の（Ａ）のように、第１液晶帯５６に緑色（Ｇ）液晶を、第２液晶帯５７および第４液晶帯５９に青色（Ｂ）液晶を、第３液晶帯５８に赤色（Ｒ）液晶を充填した場合を示すが、これに限定されず、他の組合せも可能であるのはいうまでもない。各副画素は、さらにオン・オフ制御可能な２つの副画素にそれぞれ分けられる。例えば、副画素７０Ａは、上側１／３の部分Ｒ１と下側２／３の部分Ｒ２に分けられ、部分Ｒ１およびＲ２は、独立にプレーナ状態またはフォーカルコニック状態にすることができる。したがって、第１実施形態では、副画素７０Ａは、全体を黒色（Ｆ）または赤色（Ｒ）にするのみであったのに対して、第２実施形態では、これら二つの状態に加えて、１／３の部分のみを赤色、２／３の部分を赤色にすることができる。これにより、赤色を３段階で表示できる。
【００５５】
これは他の副画素６８Ａ、６８Ｂおよび７０Ｂでも同様であり、４個の副画素が表示できる状態がそれぞれ２倍に増加し、１画素では１６倍に増加することになる。したがって、第２実施形態では、図１１に示した１画素における１６通りの状態の１６倍、すなわち２５６通りの状態を取り得るので、各副画素をオン・オフの２値表示する場合でも、多数の中間色を表示できる。
【００５６】
図１４は、第３実施形態の反射型カラー液晶表示素子を形成するパネルの上面図であり、（Ａ）が１層目のパネルを、（Ｂ）が２層目のパネルを示す。
【００５７】
第２実施形態では、第１電極６４Ａ、第２電極６５Ａ、第３電極６６Ａおよび第４電極６７Ａの幅は、第１電極６４Ｂ、第２電極６５Ｂ、第３電極６６Ｂおよび第４電極６７Ｂの幅の約２倍であった。これに対して、第３実施形態では、電極の幅をすべて同じにしたことが異なり、他は同じである。
【００５８】
上側パネルでは、隣接する第１電極６４Ｐ、６４Ｑ、６４Ｒと隣接する第２電極６５Ｐ、６５Ｑ、６５Ｒの９個の交差部に副画素が形成される。第１電極６４Ｐおよび６４Ｑは第１液晶帯５６に対応して配置され、第１電極６４Ｒは第２液晶帯５７に対応して配置される。第２電極６５Ｐおよび６５Ｑは下側パネルの第３液晶帯５８に対応して配置され、第２電極６４Ｒは下側パネルの第４液晶帯５９に対応して配置される。
【００５９】
下側パネルでは、隣接する第３電極６６Ｐ、６６Ｑ、６６Ｒと隣接する第４電極６７Ｐ、６７Ｑ、６７Ｒの９個の交差部に副画素が形成される。第３電極６６Ｐおよび６６Ｑは上側パネルの第１液晶帯５６に対応して配置され、第３電極６６Ｒは上側パネルの第２液晶帯５７に対応して配置される。第４電極６７Ｐおよび６７Ｑは第３液晶帯５８に対応して配置され、第４電極６７Ｒは第４液晶帯５９に対応して配置される。
【００６０】
図１５は、第３実施形態において、１画素を形成する副画素の構成を示す図である。ここでは、図１０の（Ａ）のように、第１液晶帯５６に緑色（Ｇ）液晶を、第２液晶帯５７および第４液晶帯５９に青色（Ｂ）液晶を、第３液晶帯５８に赤色（Ｒ）液晶を充填した場合を示すが、これに限定されず、他の組合せも可能であるのはいうまでもない。各副画素は、さらにオン・オフ制御可能な３個以上の副画素にそれぞれ分けられる。例えば、副画素７０Ａは、上下方向に部分Ｒ１〜Ｒ３に３等分され、部分Ｒ１〜Ｒ３は、独立にプレーナ状態またはフォーカルコニック状態にすることができる。したがって、第１および第２実施形態よりも、１画素で表示できる状態が更に増加することになる。したがって、第３実施形態では、１画素で約４０００通りの状態を取り得るので、各副画素をオン・オフの２値表示する場合でも、より多数の中間色を表示できる。
【００６１】
図１６は、第３実施形態で、副画素６９Ａはすべての部分が緑色を、副画素６９Ｂはすべての部分が青色を、副画素７０Ａはすべての部分が赤色を、それぞれ表示する状態で、副画素７０Ｂの３つの部分の表示状態を変化させた場合の１画素の表示状態の変化を示す図である。この場合でも、２３＝８通りの状態をとり得る。詳しい説明は省略する。
【００６２】
図１７は、第４実施形態の反射型カラー液晶表示素子を形成するパネルの上面図および積層パネルの断面図である。
【００６３】
第１から第３実施形態では、第１液晶帯５６および第３液晶帯５８の幅は、第２液晶帯５７および第４液晶帯５９の幅の２倍であった。これに対して、第４実施形態では、第１液晶帯５６から第４液晶帯５９の幅はすべて等しい。そして、第１電極６４および第３電極６６は第１液晶帯５６および第２液晶帯５７に対応して配置され、第２電極６５および第４電極６７は第３液晶帯５８および第４液晶帯５９に対応して配置される。以上のことが異なり、他は第１から第３実施形態と同じである。
【００６４】
第４実施形態では、隣接する２本の第１電極６４およびそれに重なる２本の第３電極６６と、隣接する２本の第２電極６５およびそれに重なる２本の第４電極６７の交差部に形成される４個の副画素が１画素を形成する。
【００６５】
図１８の（Ａ）は、第４実施形態において、上側パネルの副画素と下側パネルの副画素の重なりを示す図である。第４実施形態の反射型カラー液晶表示素子では、図１８の（Ａ）に示すように、第１液晶帯５６、第２液晶帯５７、第３液晶帯５８および第４液晶帯５９の４つの液晶帯は、図１８の（Ａ）に示すように重なる。
【００６６】
図１８の（Ｂ）は、第４実施形態において、１画素を形成する副画素の構成を示す図である。ここでは、第１液晶帯５６に緑色（Ｇ）液晶を、第２液晶帯５７に青色（Ｂ）液晶を、第３液晶帯５８に赤色（Ｒ）液晶を、第４液晶帯５９に緑色（Ｇ）液晶を、充填した場合を示すが、これに限定されず、他の組合せも可能であるのはいうまでもない。各副画素は、さらにオン・オフ制御可能な２つの副画素にそれぞれ分けられる。副画素７０Ａは、上側と下側に等分した部分Ｒ１とＲ２に分けられ、部分Ｒ１およびＲ２は、独立にプレーナ状態またはフォーカルコニック状態にすることができる。他の副画素６９Ａ、６９Ｂおよび７０Ｂも同様に２つの部分Ｂ１とＢ２、Ｇ３とＧ４およびＧ１とＧ２に分けられる。
【００６７】
なお、隣接する２本の第１電極６４をまとめて１本の第１電極とし、隣接する２本の第４電極６７をまとめて１本の第４電極とすると、画素構成は、図１８の（Ｃ）に示すようになり、各副画素６９Ａ、６９Ｂ、７０Ａおよび７０Ｂの表示状態がそれぞれ制御される。この場合、図１８の（Ｂ）に比べて表示できる色数が少なくなる。
【００６８】
第１から第４実施形態の２層構造の表示素子では、ＲＧＢのうち1つの色の液晶帯が上下のパネルに設けられるが、この両方のパネルに設けられる色の液晶帯に充填される液晶は、上パネルと下パネルで旋光性が逆であることが好ましい。例えば、図１０の（Ａ）で、反射色が青色（Ｂ）の液晶の場合、上パネルのＢ液晶は右円偏光を反射するＲ体、下パネルのＢ液晶は左円偏光を反射するＬ体（Ｓ体）とすると、第２液晶帯６９Ｂと第４液晶帯７０Ｂが重なる部分は、互いに逆の円偏光を反射できるため、反射ロスを低減できるようになる。
【００６９】
更には、同一パネルで隔壁により隔てて設けられる２種類の液晶は、同一の旋光性であることが好ましい。例えば、図１０の（Ａ）の場合、上側パネルの第２液晶帯５７（副画素６９Ｂ）のＢ液晶をＲ体、下側パネルの第４液晶帯５９（副画素７０Ｂ）のＢ液晶をＬ体（Ｓ体）とすると、上側パネルの第１液晶帯５６（副画素６９Ａ）のＧ液晶をＲ体、下側パネルの第３液晶帯５８（副画素７０Ａ）のＲ液晶はＬ体（Ｓ体）とするのが、互いに逆の円偏光を反射できるため、光利用効率が最良となり、反射ロスを低減できる。上側パネルの液晶帯の液晶をＬ体（Ｓ体）、下側パネルの液晶帯の液晶をＲ体としてもよい。
【００７０】
第１から第４実施形態の反射型カラー液晶表示素子では、２層構造でカラー表示を行うため、１枚のパネルに隔壁で分離した帯状の液晶帯を形成した。上側パネルと下側パネルで、隔壁の伸びる方向が同じであると視覚的に隔壁が目立つが、第１から第４実施形態では、上側パネルと下側パネルで、隔壁の伸びる方向が直交しているため、隔壁が目立たなくなる。
【００７１】
次に、第１から第４実施形態の反射型カラー液晶表示素子を使用した反射型カラー液晶表示装置を説明する。
【００７２】
図１９は、第１から第４実施形態のいずれかの反射型カラー液晶表示素子を使用した反射型カラー液晶表示装置の概略構成を示すブロック図である。コレステリック液晶表示素子の駆動方法には、ＤＤＳ(Direct Driving Scheme)駆動方式、コンベンショナル駆動方式などが知られている。ここではコンベンショナル駆動方式を採用しているが、第１から第４実施形態のいずれかの反射型カラー液晶表示素子は、ＤＤＳ駆動方式を使用して駆動することも可能である。
【００７３】
この反射型カラー液晶表示装置は、表示素子１０と、電源２１と、昇圧部２２と、電圧切替部２３と、電圧安定部２４と、原振クロック部２５と、分周部２６と、制御回路２７と、コモンドライバ２８と、セグメントドライバ２９と、を有する。表示素子１０は、第１から第４実施形態のいずれかの反射型カラー液晶表示素子である。
【００７４】
電源２１は、例えば３Ｖ〜５Ｖの電圧を出力する。昇圧部２２は、ＤＣ−ＤＣコンバータなどのレギュレータにより、電源２１からの入力電圧を＋３６Ｖ〜＋４０Ｖに昇圧する。電圧切替部２３は、抵抗による分圧などにより各種の電圧を生成する。電圧安定部２４は、電圧切替部２３から供給される各種の電圧を安定化させるために、オペアンプのボルテージフォロア回路を使用する。
【００７５】
原振クロック部２５は、動作の基本となる基本クロックを発生する。分周部２６は、基本クロックを分周して、後述する動作に必要な各種クロックを生成する。
【００７６】
表示素子１０は、ＲＧＢの３枚のコレステリック液晶パネルを積層したカラー表示可能な表示素子で、例えば、Ａ４判ＸＧＡ仕様で、１０２４×７６８画素を有する。ここでは１０２４本のデータ電極と７６８本のスキャン電極が設けられ、セグメントドライバ２９が１０２４本のデータ電極を、コモンドライバ２８が７６８本のスキャン電極を、駆動する。ＲＧＢの各画素に与える画像データが異なるため、セグメントドライバ２９は各データ電極を独立して駆動する。コモンドライバ２８は、ＲＧＢのスキャン電極を共通に駆動する。例えば、第１実施形態の表示素子を駆動する場合であれば、第１電極６４Ａと６４Ｂおよび第３電極６６をスキャン電極に、第２電極６５および第４電極６７Ａと６７Ｂをデータ電極に対応させる。
【００７７】
動作モードを設定することにより、コモンドライバとしても、セグメントドライバとしても使用可能な汎用ＳＴＮドライバが製品化されている。ここでは、コモンドライバ２８およびセグメントドライバ２９は、汎用ＳＴＮドライバで実現する。セグメントドライバ２９は、セグメントモードに設定し、通常の動作を行う。コモンドライバ２８は、通常コモンモードに設定されるが、ここでは、セグメントドライバとして動作するモードに設定する。実施例１では、汎用ＳＴＮドライバをセグメントドライバとして動作するモードに設定した上でコモンドライバとして使用するため、セグメントドライバ２９に供給する電源電圧の一部を入れ替えてコモンドライバ２８に電源電圧として供給する。
【００７８】
制御回路２７は、基本クロック、各種クロックおよび画像データＤに基づいて制御信号を生成して、コモンドライバ２８およびセグメントドライバ２９に供給する。ライン選択データＬＳは、コモンドライバ２８が、Preparationパルス、SelectionパルスおよびEvolutionパルスを印加するスキャンラインを指示するデータであり、ここでは２ビットの信号である。画像データＤＡＴＡは、セグメントドライバ２９が各データ電極に印加する電圧を、白表示に対応した電圧にするかまたは黒表示に対応した電圧にするかを指示するデータである。データ取り込みクロックＣＬＫは、コモンドライバ２８およびセグメントドライバ２９が内部でライン選択データおよび画像データを転送するためのクロックである。フレーム開始信号ＦＳＴは、書換える表示画面のデータ転送の開始を指示する信号で、コモンドライバ２８およびセグメントドライバ２９は、フレーム開始信号ＦＳＴに応じて内部をリセットする。パルス極性制御信号ＦＲは、印加電圧の極性反転信号であり、１ラインの書き込みの中間時点で反転する。コモンドライバ２８およびセグメントドライバ２９は、パルス極性制御信号ＦＲに応じて出力する信号の極性を反転する。ラインラッチ信号ＬＬＰは、コモンドライバ２８におけるライン選択データの転送終了を指示する信号で、この信号に応じて転送されたライン選択データをラッチする。データラッチ信号ＤＬＰは、セグメントドライバ２９における画像データの転送終了を指示する信号で、この信号に応じて転送された画像データをラッチする。ドライバ出力オフ信号／ＤＳＰＯＦは、印加電圧の強制オフ（ＯＦＦ）信号である。
【００７９】
コモンドライバ２８およびセグメントドライバ２９の動作およびそれに供給される信号は、一般的なものと同様である。
【００８０】
ここでは、２枚のパネルの複数の副画素で１画素を形成しており、カラー表示制御おより中間調制御は、各副画素の表示可能な色を考慮して行う必要があるが、このような画像表示制御方法は従来の手法を使用でき、当業者には容易であるので説明は省略する。
【００８１】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【００８２】
以下、実施形態に関し、更に以下の付記を開示する。
（付記１）
積層された第１液晶層および第２液晶層を備え、
前記第１液晶層は、第１方向に伸びる交互に配置された第１液晶帯群および第２液晶帯群と、前記第１液晶帯群および第２液晶帯群を挟持するように配置された第１電極群および第２電極群と、を備え、
前記第２液晶層は、前記第１方向と直交する第２方向に伸びる交互に配置された第３液晶帯群および第４液晶帯群と、前記第３液晶帯群および第４液晶帯群を挟持するように配置された第３電極群および第４電極群と、を備え、
前記第１電極群は、前記第１方向に伸びる平行に配置された複数の第１電極を備え、
前記第２電極群は、前記第２方向に伸びる平行に配置された複数の第２電極を備え、
前記第３電極群は、前記第１方向に伸びる平行に配置された複数の第３電極を備え、
前記第４電極群は、前記第２方向に伸びる平行に配置された複数の第４電極を備えることを特徴とする反射型カラー液晶表示素子。
（付記２）
前記第１液晶帯群は、印加電圧に応じて第１の色を呈する光の反射率が変化し、
前記第２液晶帯群は、印加電圧に応じて、前記第１の色と異なる第２の色を呈する光の反射率が変化し、
前記第３液晶帯群は、印加電圧に応じて第３の色を呈する光の反射率が変化し、
前記第４液晶帯群は、印加電圧に応じて、前記第３の色と異なる第４の色を呈する光の反射率が変化する付記１記載の反射型カラー液晶表示素子。
（付記３）
前記第１の色と前記第２の色の一方と、前記第３の色と前記第４の色の一方は、同一の色である付記２記載の反射型カラー液晶表示素子。
（付記４）
前記第１から第４の色は、赤、緑、青のいずれかである付記３記載の反射型カラー液晶表示素子。
（付記５）
前記第１液晶帯と前記第２液晶帯の幅は異なり、
前記第３液晶帯と前記第４液晶帯の幅は異なる付記１から４のいずれか記載の反射型カラー液晶表示素子。
（付記６）
前記第１液晶帯と前記第２液晶帯のうちの幅の狭い方の液晶帯は、他方より視感度が低い色を呈し、
前記第３液晶帯と前記第４液晶帯のうちの幅の狭い方の液晶帯は、他方より視感度が低い色を呈する付記５記載の反射型カラー液晶表示素子。
（付記７）
前記第１液晶帯と前記第２液晶帯のうちの幅の狭い方の液晶帯は、青色を反射し、
前記第３液晶帯と前記第４液晶帯のうちの幅の狭い方の液晶帯は、青色を反射する付記６記載の反射型カラー液晶表示素子。
（付記８）
前記第１液晶帯と前記第２液晶帯のうちの幅が広い方の液晶帯は、狭い方の２倍の幅であり、
前記第３液晶帯と前記第４液晶帯のうちの幅が広い方の液晶帯は、狭い方の２倍の幅である付記５から７のいずれか記載の反射型カラー液晶表示素子。
（付記９）
前記複数の第１電極、前記複数の第２電極、前記複数の第３電極および前記複数の第４電極は、同じ幅を有し、
電極の幅は、前記第１から第４液晶帯のうちの幅が最小の液晶帯の幅に対応している付記１から８のいずれか記載の反射型カラー液晶表示素子。
（付記１０）
前記第１電極群は、前記第１液晶帯群に対応して配置される第１帯電極群と、前記第２液晶帯群に対応して配置される第２帯電極群と、を備え、
前記第４電極群は、前記第３液晶帯群に対応して配置される第３帯電極群と、前記第４液晶帯群に対応して配置される第４帯電極群と、を備え、
前記第１帯電極群の各第１帯電極は、前記第１液晶帯に対応した幅を有し、
前記第２帯電極群の各第２帯電極は、前記第２液晶帯に対応した幅を有し、
前記第３帯電極群の各第３帯電極は、前記第３液晶帯に対応した幅を有し、
前記第４帯電極群の各第４帯電極は、前記第４液晶帯に対応した幅を有する付記１から８のいずれか記載の反射型カラー液晶表示素子。
（付記１１）
前記第２電極群は、前記第３液晶帯群に対応して配置される第３対向電極群と、前記第４液晶帯群に対応して配置される第４対向電極群と、を備え、
前記第３電極群は、前記第１液晶帯群に対応して配置される第１対向電極群と、前記第２液晶帯群に対応して配置される第２対向電極群と、を備え、
前記第３対向電極群の各第３対向電極は、前記第３液晶帯に対応した幅を有し、
前記第４対向電極群の各第４対向電極は、前記第４液晶帯に対応した幅を有し、
前記第１対向電極群の各第１対向電極は、前記第１液晶帯に対応した幅を有し、
前記第２対向電極群の各第２対向電極は、前記第２液晶帯に対応した幅を有する付記１から１０のいずれか記載の反射型カラー液晶表示素子。
（付記１２）
前記第１液晶層の第１および第２液晶帯群および前記第２液晶層の第３および第４液晶帯群に含まれる液晶は、同一の旋光性を有する付記１から１１のいずれか記載の反射型カラー液晶表示素子。
（付記１３）
前記第１液晶層および前記第２液晶層の同一の色を呈する液晶帯群に含まれる液晶は、異なる旋光性を有する付記３または４記載の反射型カラー液晶表示素子。
（付記１４）
前記第１液晶層の第１および第２液晶帯群および前記第２液晶層の第３および第４液晶帯群に含まれる液晶は、コレステリック液晶である付記１から１３のいずれか記載の反射型カラー液晶表示素子。
（付記１５）
付記１から１４のいずれか記載の反射型カラー液晶表示素子と、
前記複数の第１電極を駆動する第１ドライバと、
前記複数の第２電極を駆動する第２ドライバと、
前記複数の第３電極を駆動する第１ドライバと、
前記複数の第４電極を駆動する第２ドライバと、を備える反射型カラー液晶表示装置。
（付記１６）
前記反射型カラー液晶表示素子の観察面から見た時に、隣接する前記第１液晶帯および前記第２液晶帯の組と隣接する前記第３液晶帯および前記第４液晶帯の組が交差する範囲が、１画素を形成する付記１５記載の反射型カラー液晶表示装置。
【符号の説明】
【００８３】
１０    液晶表示素子
２１    電源
２７    制御回路
２８    コモンドライバ
２９    セグメントドライバ
５０、５１、５２、５３    透明基板
５４、５５    隔壁
５６    第１液晶帯
５７    第２液晶帯
５８    第３液晶帯
５９    第４液晶帯
６４、６４Ａ、６４Ｂ、６４Ｐ、６４Ｑ、６４Ｒ    第１透明電極
６５Ａ、６５Ｂ、６５Ｐ、６５Ｑ、６５Ｒ    第２透明電極
６６Ａ、６６Ｂ、６６Ｐ、６６Ｑ、６６Ｒ    第３透明電極
６７、６７Ａ、６７Ｂ、６７Ｐ、６７Ｑ、６７Ｒ    第４透明電極
【図１】
2012088496.tif 000003
【図２】
2012088496.tif 000004
【図３】
2012088496.tif 000005
【図４】
2012088496.tif 000006
【図５】
2012088496.tif 000007
【図６】
2012088496.tif 000008
【図７】
2012088496.tif 000009
【図８】
2012088496.tif 000010
【図９】
2012088496.tif 000011
【図１０】
2012088496.tif 000012
【図１１】
2012088496.tif 000013
【図１２】
2012088496.tif 000014
【図１３】
2012088496.tif 000015
【図１４】
2012088496.tif 000016
【図１５】
2012088496.tif 000017
【図１６】
2012088496.tif 000018
【図１７】
2012088496.tif 000019
【図１８】
2012088496.tif 000020
【図１９】
2012088496.tif 000021